(57)【要約】  ライン電流の正側電流部分の間に電流を通電するための上側ダイオードと、上側ダイオードに並列接続された上側トランジスタと、ライン電流の負側電流部分の間に電流を通電するための下側ダイオードと、下側ダイオードに並列接続された下側トランジスタとを備えるハイブリッド整流器が提供される。ハイブリッド整流器コントローラが、ライン電流の正側電流部分の間に、ライン電流が正弦波基準電流を下回る場合にのみ上側ダイオードが電流を通電するとともに下側トランジスタが電流を通電するようなトランジスタ制御ストラテジを実施するために上側トランジスタ及び下側トランジスタに接続される。同様に、ライン電流の負側電流部分の間に、ライン電流が正弦波基準電流を上回る場合にのみ下側ダイオードが電流を通電するとともに上側トランジスタが電流を通電する。【選択図】図１
2019533419.tif 000002
【特許請求の範囲】
【請求項１】
ライン電流を整流するためのハイブリッド整流回路であって、
前記ライン電流の正側電流部分の間に電流を通電するための上側ダイオードと、
前記上側ダイオードに並列接続された上側トランジスタと、
前記ライン電流の負側電流部分の間に電流を通電するための下側ダイオードと、
前記下側ダイオードに並列接続された下側トランジスタと、
前記上側トランジスタ及び前記下側トランジスタに接続されたハイブリッド整流器コントローラと
を備え、
前記ハイブリッド整流器コントローラは、
前記ライン電流の前記正側電流部分の間に、
前記ライン電流が正弦波基準電流を下回る場合に前記下側トランジスタが電流を通電するように前記下側トランジスタをスイッチングし、
前記ライン電流が前記正弦波基準電流を上回る場合に前記下側トランジスタが電流を通電しないように前記下側トランジスタをスイッチングし、
前記ライン電流の前記負側電流部分の間に、
前記ライン電流が前記正弦波基準電流を上回る場合に前記上側トランジスタが電流を通電するように前記上側トランジスタをスイッチングし、
前記ライン電流が前記正弦波基準電流を下回る場合に前記上側トランジスタが電流を通電しないように前記上側トランジスタをスイッチングする
ように、前記上側トランジスタ及び前記下側トランジスタをスイッチングする、前記ハイブリッド整流回路。
【請求項２】
前記ライン電流が３相ライン電流であり、前記上側及び下側整流器スイッチが前記３相ライン電流の第１の位相に関し、前記ハイブリッド整流器コントローラは少なくとも１つのハイブリッド整流器コントローラを備え、
前記ハイブリッド整流器は、
第２の上側トランジスタに並列の第２の上側ダイオードを備える第２の上側整流器スイッチ並びに第２の下側トランジスタ及び第２の下側ダイオードを備える第２の下側整流器スイッチであって、前記３相電流の第２の位相に関する第２の上側及び下側整流器スイッチと、
第３の上側トランジスタに並列の第３の上側ダイオードを備える第３の上側整流器スイッチ並びに第３の下側トランジスタ及び第３の下側ダイオードを備える第３の下側整流器スイッチであって、前記３相電流の第３の位相に関する第３の上側及び下側整流器スイッチと
をさらに備え、
前記少なくとも１つのハイブリッド整流器コントローラは、さらに、
前記ライン電流の前記第２の位相の正側電流部分の間に、
前記第２のライン電流が前記上側基準値を下回る場合に前記第２の下側トランジスタが電流を通電するように前記第２の下側トランジスタをスイッチングし、
前記第２のライン電流が前記正弦波基準電流を上回る場合に前記第２の下側トランジスタが電流を通電しないように前記第２の下側トランジスタをスイッチングし、
前記ライン電流の前記第２の位相の負側電流部分の間に、
前記第２のライン電流が前記正弦波基準電流を上回る場合に前記第２の上側トランジスタが電流を通電しないように前記第２の上側トランジスタをスイッチングし、
前記第２のライン電流が前記正弦波基準電流を下回る場合に前記第２の上側トランジスタが電流を通電しないように前記第２の上側トランジスタをスイッチングし、
前記ライン電流の前記第３の位相の正側電流部分の間に、
前記第３のライン電流が前記正弦波基準電流を下回る場合に前記第３の下側トランジスタが電流を通電するように前記第３の下側トランジスタをスイッチングし、
前記第３のライン電流が前記正弦波基準電流を上回る場合に前記第３の下側トランジスタが電流を通電しないように前記第３の下側トランジスタをスイッチングし、
前記ライン電流の前記第３の位相の負側電流部分の間に、
前記第３のライン電流が前記正弦波基準電流を上回る場合に前記第３の上側トランジスタが電流を通電するように前記第３の上側トランジスタをスイッチングし、
前記第３のライン電流が前記正弦波基準電流を下回る場合に前記第３の上側トランジスタが電流を通電しないように前記第３の上側トランジスタをスイッチングする
よう構成されている、請求項１に記載のハイブリッド整流回路。
【請求項３】
前記少なくとも１つのハイブリッド整流器コントローラが、前記第２の上側トランジスタ及び前記第２の下側トランジスタを制御するための第２のハイブリッド整流器コントローラ並びに前記第３の上側トランジスタ及び前記第３の下側トランジスタを制御するための第３のハイブリッド整流器コントローラを備える、請求項２に記載のハイブリッド整流回路。
【請求項４】
前記上側及び下側トランジスタの各々が電界効果トランジスタ（ＦＥＴ）からなる、請求項１〜３のいずれか一項に記載のハイブリッド整流回路。
【請求項５】
前記正弦波基準電流の振幅が、負荷に基づいて調整される、請求項１〜４のいずれか一項に記載のハイブリッド整流回路。
【請求項６】
前記正弦波基準電流の振幅が、ＤＣバス電圧及びピークライン間電圧の比較に基づいて調整される、請求項１〜４のいずれか一項に記載のハイブリッド整流回路。
【請求項７】
パルス幅変調器が、前記上側トランジスタ及び前記下側トランジスタの少なくとも一方の前記スイッチングを制御する、請求項１〜６のいずれか一項に記載のハイブリッド整流回路。
【請求項８】
ヒステリシスコントローラが、前記上側トランジスタ及び前記下側トランジスタの少なくとも一方の前記スイッチングを制御する、請求項１〜７のいずれか一項に記載のハイブリッド整流回路。
【請求項９】
ライン電流を整流するためのハイブリッド整流回路であって、
前記ライン電流の正側電流部分の間に電流を通電し、前記ライン電流の負側電流部分の間にスイッチングするための上側トランジスタと、
前記ライン電流の前記負側電流部分の間に電流を通電し、前記ライン電流の前記正側電流部分の間にスイッチングするための下側トランジスタと、
前記上側トランジスタ及び前記下側トランジスタに接続されたハイブリッド整流器コントローラであって、前記ライン電流が正弦波基準電流を下回る場合に前記ライン電流の前記正側電流部分の間に前記上側及び下側トランジスタをスイッチングし、前記ライン電流が前記正弦波基準電流を上回る場合に前記ライン電流の前記負側電流部分の間に前記下側及び上側トランジスタをスイッチングする前記ハイブリッド整流器コントローラと
を備えた前記ハイブリッド整流回路。
【請求項１０】
前記上側及び下側トランジスタの各々が電界効果トランジスタ（ＦＥＴ）からなる、請求項９に記載のハイブリッド整流回路。
【請求項１１】
前記ライン電流が３相ライン電流であり、前記上側及び下側トランジスタが前記３相ライン電流の第１の位相に関し、前記ハイブリッド整流器コントローラは少なくとも１つのハイブリッド整流器コントローラを備え、
前記ハイブリッド整流器は、
前記３相ライン電流の第２の位相に関する第２の上側トランジスタ及び第２の下側トランジスタと、
前記３相ライン電流の第３の位相に関する第３の上側トランジスタ及び第３の下側トランジスタと
をさらに備え、
前記少なくとも１つのハイブリッド整流器コントローラは、さらに、
前記３相ライン電流の前記第２の位相が前記正弦波基準電流を下回る場合に前記３相ライン電流の前記第２の位相の正側部分の間に前記第２の上側及び下側トランジスタをスイッチングし、
前記３相ライン電流の前記第２の位相が前記正弦波基準電流を上回る場合に前記３相ライン電流の前記第２の位相の負側部分の間に前記第２の下側及び上側トランジスタをスイッチングし、
前記３相ライン電流の前記第３の位相が前記正弦波基準電流を下回る場合に前記３相ライン電流の前記第３の位相の正側部分の間に前記第３の上側及び下側トランジスタをスイッチングし、
前記３相ライン電流の前記第３の位相が前記正弦波基準電流を上回る場合に前記３相ライン電流の前記第３の位相の負側部分の間に前記第３の下側及び上側トランジスタをスイッチングする、請求項９又は１０に記載のハイブリッド整流回路。
【請求項１２】
前記少なくとも１つのハイブリッド整流器コントローラは、前記第２の上側トランジスタ及び第２の下側トランジスタを制御するための第２のハイブリッド整流器コントローラ並びに前記第３の上側トランジスタ及び前記第３の下側トランジスタを制御するための第３のハイブリッド整流器コントローラを備える、請求項９から１１のいずれか一項に記載のハイブリッド整流回路。
【請求項１３】
電力再生のためのハイブリッド整流回路であって、
前記ライン電流の正側電流部分の間に電流を通電するための上側ダイオードと、
前記上側ダイオードに並列接続された上側トランジスタと、
前記ライン電流の負側電流部分の間に電流を通電するための下側ダイオードと、
前記下側ダイオードに並列接続された下側トランジスタと、
前記上側トランジスタ及び前記下側トランジスタに接続されたハイブリッド整流器コントローラと
を備え、
前記ハイブリッド整流器コントローラは、ＤＣバス電圧を測定し、該ＤＣバス電圧が再生トリガレベルを超えると、
前記ライン電流の前記正側電流部分の間に、
前記ライン電流が正弦波基準電流を下回る場合に前記下側トランジスタが電流を通電するように前記下側トランジスタをスイッチングし、
前記ライン電流が前記正弦波基準電流を上回る場合に前記下側トランジスタが電流を通電しないように前記下側トランジスタをスイッチングし、
前記ライン電流の前記負側電流部分の間に、
前記ライン電流が前記正弦波基準電流を上回る場合に前記上側トランジスタが電流を通電するように前記上側トランジスタをスイッチングし、
前記ライン電流が前記正弦波基準電流を下回る場合に前記上側トランジスタが電流を通電しないように前記上側トランジスタをスイッチングする
ように前記上側トランジスタ及び前記下側トランジスタをスイッチングする、前記ハイブリッド整流回路。
【請求項１４】
ＤＣバス電圧保護をさらに備え、前記ハイブリッド整流器コントローラはさらに、前記ＤＣバス電圧が前記ＤＣバス電圧保護レベルを超えると前記上側トランジスタ及び前記下側トランジスタをオフにスイッチングする、請求項１３に記載のハイブリッド整流回路。
【請求項１５】
並列高出力整流器の高調波をフィルタリングするためのハイブリッド整流器であって、
前記高出力整流器に並列接続された請求項１から１２のいずれか一項に記載のハイブリッド整流回路
を備えるハイブリッド整流器。
【発明の詳細な説明】
【技術分野】
【０００１】
関連出願の相互参照
本願は、２０１６年１０月１９日出願の米国特許出願第６２／４１００２６号の優先権を主張し、それはその全体において参照によりここに取り込まれる。
【０００２】
記載される実施形態は、パワーエレクトロニクスに関する。
【背景技術】
【０００３】
整流器は、交流形式（ＡＣ）で電力会社によって供給される電源を何らかのアプリケーションに必要とされる直流形式（ＤＣ）に変換するのに使用されるデバイスである。電子整流器は、ほとんどのＡＣ／ＤＣ電源、モータドライブ（可変周波数又はサーボ）、充電器などにおいて用いられる。電気分散ネットワークによって給電されるほとんど全ての電子デバイスは、整流器を用いる。単純なものから複雑なものまで多数の種類の整流器があり、各々は異なるレベルの性能を提供する。
【０００４】
通常、最も単純な整流器は、多数のダイオードを用いる。これらのダイオード整流器は、ＩＥＥＥ５１９などの規制又は標準に従うようなアプリケーションについては許容できない大きなレベルの電流歪を生じさせる特性を有する。
【０００５】
ダイオード整流器よりも良いレベルの電流歪を実現するために、アクティブ整流器が開発されてきた。旧来的には、その目的は、規制及び標準によって設定される限度を超える歪を大幅に低減することであった。アクティブ整流器は、ダイオード整流器よりも複雑であり、能動スイッチ（通常はトランジスタ）を用いて電流のフローを制御する。しかし、使用されるトランジスタが比較的高い電流を通電可能でなければならないため、アクティブ整流器はダイオード整流器よりも高い関連コストが伴い、高価となる。
【０００６】
またさらに、トランジスタの断続的なスイッチングに起因して、アクティブ整流器では通常、軽負荷において効率が低く、負荷がゼロとなる場合でさえも損失が生じる。あるアプリケーション及び産業については、周知のアクティブ整流器の効率は許容できないほどに低く、又は少なくとも本質的な問題を示す。
【発明の概要】
【０００７】
第１の態様において、発明の幾つかの実施形態は、交流を整流するためのハイブリッド整流回路を提供する。各ＡＣ位相について、ハイブリッド整流回路は、交流の正側電流部分の間に電流を通電するための上側ダイオード、及び上側ダイオードに並列接続された上側トランジスタを備える。ハイブリッド整流回路は、交流の負側電流部分の間に電流を通電するための下側ダイオード、及び下側ダイオードに並列接続された下側トランジスタをさらに備える。ハイブリッド整流器コントローラは、上側トランジスタ及び下側トランジスタをスイッチングするために上側トランジスタ及び下側トランジスタに接続される。幾つかの実施形態によると、トランジスタスイッチングを最小限にするように制御が設計され得る。交流の正側電流部分の間に、上側ダイオードを介する電流が正弦波基準電流を下回る場合に下側トランジスタが電流を通電するように下側トランジスタがスイッチングされ、上側ダイオードを介する電流が正弦波基準電流を上回る場合に下側トランジスタが電流を通電しないように下側トランジスタがスイッチングされる。同様に、交流の負側電流部分の間に、下側ダイオードを介する電流が正弦波基準電流を上回る場合に上側トランジスタが電流を通電するように下側トランジスタがスイッチングされ、下側ダイオードを介する電流が正弦波基準電流を下回る場合に上側トランジスタが電流を通電しないように上側トランジスタがスイッチングされる。
【０００８】
幾つかの実施形態によると、ハイブリッド整流器は、各位相についての上側トランジスタ、上側ダイオード、下側トランジスタ、下側ダイオード及びハイブリッド整流器コントローラを有する３相ハイブリッド整流器として実施可能である。
【０００９】
第２の態様において、発明の幾つかの実施形態は、交流を整流するためのハイブリッド整流回路を提供する。ハイブリッド整流回路は、交流の正側電流部分の間に電流を通電し、交流の負側電流部分の間にスイッチングするための上側トランジスタを備える。ハイブリッド整流回路は、交流の負側電流部分の間に電流を通電し、交流の正側電流部分の間にスイッチングするための下側トランジスタをさらに備える。ハイブリッド整流器コントローラは、上側トランジスタを介する電流が正弦波基準電流を下回る場合に交流の正側部分の間に下側トランジスタをスイッチングし、下側トランジスタを介する電流が正弦波基準電流を上回る場合に交流の負側部分の間に上側トランジスタをスイッチングするために上側及び下側トランジスタにそれぞれ接続される。
【００１０】
幾つかの実施形態によると、ハイブリッド整流器におけるトランジスタは電界効果トランジスタ（ＦＥＴ）であり得る。
【００１１】
第３の態様において、発明の幾つかの実施形態は、電力再生のためのハイブリッド整流回路を提供する。ハイブリッド整流回路は、交流の正側電流部分の間にフリーホイール電流を通電するための上側ダイオード、及び上側ダイオードに並列接続された上側トランジスタを備える。ハイブリッド整流回路は、交流の負側電流部分の間にフリーホイール電流を通電するための下側ダイオード、及び下側ダイオードに並列接続された下側トランジスタをさらに備える。ハイブリッド整流器コントローラは、交流の正側電流部分の間に、下側トランジスタを介する電流が正弦波基準電流を下回る場合に下側トランジスタが電流を通電するように下側トランジスタがスイッチングされ、下側トランジスタを介する電流が正弦波基準電流を上回る場合に下側トランジスタが電流を通電しないように下側トランジスタがスイッチングされるように、上側トランジスタ及び下側トランジスタに接続される。交流の負側電流部分の間に、上側トランジスタを介する電流が正弦波基準電流を上回る場合に上側トランジスタが電流を通電するように下側トランジスタがスイッチングされ、上側トランジスタを介する電流が正弦波基準電流を下回る場合に上側トランジスタが電流を通電しないように上側トランジスタがスイッチングされる。
【００１２】
第４の態様において、発明の幾つかの実施形態は、高出力整流器に並列接続されたハイブリッド整流器を備える、並列高出力整流器の高調波をフィルタリングするためのハイブリッド整流器を提供する。
【００１３】
図面を参照して本発明の好適な実施形態を詳細にここに説明する。
【図面の簡単な説明】
【００１４】
【図１】図１は、幾つかの実施形態によるハイブリッド整流器の回路図である。
【図２】図２は、幾つかの実施形態による３相ハイブリッド整流器の電流通電の曲線を示す。
【図３】図３は、幾つかの実施形態によるハイブリッド整流器コントローラの概略図である。
【図４】図４は、幾つかの実施形態によるハイブリッド整流器コントローラによって使用され得るようなＤＣバス電圧リップルを示す。
【図５】図５は、幾つかの実施形態による負荷ダンピング保護中の電圧及び電流曲線を示す。
【図６】図６は、幾つかの実施形態によるハイブリッド整流器のダイオード及びトランジスタを介した電流を示す電圧及び電流曲線を示す。
【図７】図７は、幾つかの実施形態によるＦＥＴを用いたハイブリッド整流器の回路図である。
【図８】図８は、幾つかの実施形態による、ダイオードに並列なＦＥＴを用いるハイブリッド整流器の動作中の電流フローを示す回路図である。
【図９】図９は、幾つかの実施形態による、ＦＥＴのみを用いる（並列ダイオードなしの）ハイブリッド整流器の動作中の電流フローを示す回路図である。
【図１０】図１０は、幾つかの実施形態によるＦＥＴを用いる３相ハイブリッド整流器の電流通電の曲線を示す。
【図１１】図１１は、幾つかの実施形態による大型整流器に対して高調波フィルタとして使用されるハイブリッド整流器の回路図である。
【図１２】図１２は、標準的な３００Ａの整流器に対する平均ダイオード順方向電圧降下を示す曲線を示す。
【発明を実施するための形態】
【００１５】
図１を参照すると、ハイブリッド整流器１００の回路図が示される。概略として、ハイブリッド整流器１００は、ダイオード整流器の長所とアクティブ整流器の長所とを組み合わせることによって周知のアクティブ整流器及びダイオード整流器によって示される問題を軽減する。ハイブリッド整流器１００の概略図は周知のアクティブ整流器と類似する部分もあるが、ハイブリッド整流器に対する部品のサイズがアクティブ整流器に対するものとは異なることを理解することが重要である。このように、ハイブリッド整流器は、アクティブ整流器と比較してより少ない損失しか生じない一方で、同時に、向上した効率を与える。
【００１６】
特に、ハイブリッド整流器１００と周知のアクティブ整流器との間の大きな相違は、制御技術である。アクティブ整流器とは対照的に、ハイブリッド整流器のより簡素な位相制御回路が多位相整流器の各位相レッグに対して埋め込み可能であり、これにより、アクティブ整流器に通常は必要な絶縁信号をなくすことができる。任意の周知の位相電流及びＤＣバス電圧センサが、その実装が動作に重要ではないので使用され得る。
【００１７】
ハイブリッド整流器１００が３相ハイブリッド整流器として示され、名称「ａ」、「ｂ」及び「ｃ」は３つの位相の各々を示すのに使用される。幾つかの実施形態によると、例えば、ハイブリッド整流器１００における単相に対応する構成要素のセット「ａ」、「ｂ」又は「ｃ」の１つ（又は２つ）を備える単相ハイブリッド整流器が使用され得る。
【００１８】
ハイブリッド整流器１００は、上側トランジスタ１１２ａと並列に上側ダイオード１１０ａを備え、共に上側スイッチを形成する。下側スイッチは、図示するように、下側トランジスタ１１６ａと並列に下側ダイオード１１４ａを備える。トランジスタ１１２ａ及び１１６ａとともにダイオード１１０ａ及び１１４ａは、３相ハイブリッド整流器１００のうちの１つの位相に対応する。同様に、ハイブリッド整流器１００は、他の２つの位相に対応するダイオード１１０ｂ、１１０ｃ、１１４ｂ及び１１４ｃ並びにトランジスタ１１２ｂ、１１２ｃ、１１６ｂ及び１１６ｃを備える。
【００１９】
ここで使用するように、用語「トランジスタ」は、任意に転流オン及びオフとすることができる高速半導体スイッチ、例えば、ただしこれに限定されずに、バイポーラジャンクショントランジスタ（ＢＪＴ）、絶縁ゲートバイポーラトランジスタ（ＩＧＢＴ）、酸化金属半導体電界効果トランジスタ（ＭＯＳＦＥＴ）又はジャンクションゲート電界効果トランジスタ（ＪＦＥＴ）などの任意のタイプの電界効果トランジスタ（ＦＥＴ）、ゲートターンオフサイリスタ（ＧＴＯ）及び強制転流サイリスタを表現するのに使用される。当業者であれば、他のデバイスが同様に使用され得ることを理解するはずである。
【００２０】
ここで使用するように、用語「上側」及び「下側」は、整流器概略図における構成要素の観点で使用される（例えば、上側整流器スイッチ、上側ダイオード、上側トランジスタ、下側整流器スイッチ、下側ダイオード、下側トランジスタ）。当業者には分かるように、一般に用語「上側」及び「下側」は整流器としての構成要素の役割をいうものであり、具体的回路レイアウト又はトポロジをいうものではない。例えば、「上側ダイオード」は、構成要素の何らかの特定の物理的レイアウトにかかわらず、交流の正側電流部分（すなわち、半周期）を整流するのに用いられる。
【００２１】
ハイブリッド整流器コントローラ１１８ａは、トランジスタの状態を制御するために、上側トランジスタ１１２ａ及び下側トランジスタ１１６ａの双方に接続される。図１に示すように（ＩＧＢＴトランジスタが例として示される）、ハイブリッド整流器コントローラ１１８ａは、上側トランジスタ１１２ａのゲート及び下側トランジスタ１１６ａのゲートに接続される。他のタイプのトランジスタについて、ハイブリッド整流器コントローラ１１８ａがそれに従ってゲートではなくトランジスタのベースなどに接続され得ることが分かるはずである。ここに説明するように、この回路トポロジにより、ハイブリッド整流器コントローラ１１８ａは、単純なダイオード整流器モードとより複雑なアクティブ整流器モードとの間でハイブリッド整流器１００を動作させるのに使用され得る。幾つかの実施形態によると、ハイブリッド整流器１００は、これらのモード間のスイッチングによって使用され、アクティブ整流器よりも実装が簡素であり及び／又は安価でありながらも、単純なダイオード整流器の高調波歪問題を改善することができる。
【００２２】
前述したように、ハイブリッド整流器は、図１に示すハイブリッド整流器１１０のような３相ハイブリッド整流器として実装され得る。３相の場合には、別個のハイブリッド整流器コントローラ（例えば、ハイブリッド整流器コントローラ１１８ａ、１１８ｂ及び１１８ｃ）が各位相に対して用いられる。この場合、所望であれば、複数のコントローラが単一の回路基板に搭載され得る。またさらに、ハイブリッド整流器は、同様にマルチレベル整流器について使用され得る。あるいは、幾つかの実施形態によると、単一のハイブリッド整流器コントローラが、２以上の位相を制御するのに使用され得る。
【００２３】
ハイブリッド整流器コントローラ１１８ａは、ダイオードを主整流素子として維持するトランジスタに対するスイッチングストラテジを実施するのに使用され得る。この場合、上側整流器スイッチ及び下側整流器スイッチの双方が、ダイオードをトランジスタに組み合わせることによって、及びそのダイオードを主整流素子として使用することによって行われる。これは、トランジスタが主整流素子となる周知のアクティブ整流器とは対照的である。
【００２４】
言い換えると、ここに開示される制御ストラテジは、周知のアクティブ整流器との比較として、構成要素の異なる動作によるものである。ハイブリッド整流器についての制御ストラテジによると、位相電流が通常時に所望のものよりも（例えば、所望の基準電流と比較して）低くなる場合、トランジスタは電流をダイオードに向けるのにしか使用されない。周知のアクティブ整流器の場合、ＤＣバス電圧は、ダイオード整流器の動作するレベルよりも少なくとも１０％〜３０％だけ昇圧される必要があるが、ハイブリッド整流器であれば、トランジスタが断続的にスイッチングし、ＤＣバス電圧がダイオード整流器のレベルに非常に近い、より低い平均値に維持される。
【００２５】
ある実施形態では、ハイブリッド整流器は、ダイオード整流器と同様のより低い損失及び／又はより低いコストでありながらも、アクティブ整流器の特性の多くを保持することができる。例えば、ハイブリッド整流器は、アクティブ「昇圧」整流器よりも低いスイッチング及び導通損失を有することになり、特にアクティブ整流器の効率が劇的に低下する低出力時に高効率となり得る。
【００２６】
またさらに、ハイブリッド整流器におけるトランジスタは、単極変調に起因するデッドタイム又はシュートスルーに影響されにくい。したがって、通常それらは低い導通損失しか生じないので、遅いターンオフのデバイスが使用可能となる。
【００２７】
ハイブリッド整流器の他の側面は、場合によっては、スイッチングイベントの回数の減少及び／又はスイッチングイベントがより低い電流において生じることに起因して、アクティブ整流器と比較してより低いＥＭＩ及びリップル電流放出であるといえる。またさらに、ハイブリッド整流器は、アクティブ整流器と比較してより小さいＤＣバス容量を有することになり、それはダイオード整流器の安定性を維持し又はＤＣ電圧リップルを低減するのに使用され得る。
【００２８】
幾つかの実施形態によると、ハイブリッド整流器は、アクティブ整流器において必要なものよりも小さなトランジスタを用いて構成され得るので、アクティブ整流器と比較してハイブリッド整流器のコスト低減を導くことになる。
【００２９】
ハイブリッド整流器はアクティブ整流器よりも効率が向上するように実施され得るが、それはまたダイオード整流器よりも電流歪（高調波）が低減するように実施され得る。言い換えると、制御ストラテジが、トランジスタ導通及びスイッチング損失を最小化しつつ歪を許容可能レベルに制限するために実施可能となる。
【００３０】
またさらに、ハイブリッド整流器は、ダイオード整流器よりもＤＣバス電圧が平滑するように実施可能である。例えば、ダイオード整流器では約１４％となり得るのに対し、３相ハイブリッド整流器は、２％〜５％の範囲においてＤＣバス電圧の変動を有し得る。それでもなお、ハイブリッド整流器は、ダイオード整流器と比較して同様の（すなわち、「低い」）ＤＣバス電圧で動作することができ、これは部品のストレスを低減する効果を有し得る。
【００３１】
図２を参照すると、３相ダイオード整流電流２１０、正弦波基準電流（例えば、「理想の」）２１２の曲線、及び下側トランジスタ（転流モード）２１４、上側ダイオード（連続通電モード）２１６、上側トランジスタ（転流モード）２１８及び下側ダイオード（連続通電モード）２２０に対するハイブリッド整流器を介した通電の曲線を示す図が示される。制御ストラテジは、ハイブリッド整流器コントローラ（例えば、ハイブリッド整流器コントローラ１１８ａ）によって実施され得るように、図２を参照して説明可能である。
【００３２】
図２に示すように、ダイオード整流器２１０を介する交流の正側電流部分の間に、ライン電流が正弦波基準電流２１２を下回る場合には常に下側トランジスタ２１４を介した通電があるように、制御ストラテジが決定され得る。ライン電流が正弦波基準電流２１２を上回る場合には、通電は上側ダイオード２１６を介する。
【００３３】
同様に、負側電流部分については、ライン電流が正弦波基準電流２１２を上回る場合には常に上側トランジスタ２１８を介した通電がある。ライン電流が正弦波基準電流２１２を下回る場合には、通電は下側ダイオード２２０を介する。
【００３４】
ここに開示される制御ストラテジは、以下の５つの課題のいずれか又は全てに対して使用され得る。
【００３５】
第１に、トランジスタスイッチングが、最小に維持され、かつ大部分においてライン周期のうちの低い振幅のライン電流が流れる領域において維持され得る。これは、図２における下側トランジスタ２１４及び上側トランジスタ２１８の導通に見ることができる。幾つかの実施形態によると、これは、トランジスタ、ダイオード及びラインインダクタにおける転流損失を低減可能とする。
【００３６】
第２に、上側ダイオード２１６及び下側ダイオード２２０の導通を参照すると、高い電流の通電の多くは、一般にトランジスタよりも導通損失が低いダイオードによってなされる。
【００３７】
第３に、トランジスタ及びダイオードの各対（すなわち、単相について上側整流器スイッチ及び下側整流器スイッチ）が独立して動作するようにコントローラが（例えば、アクティブ整流器と比較して）比較的簡素となるので、回路をパッケージングすること（例えば、整流器スイッチ及び関連のハイブリッド整流器コントローラを含めること）が容易化され得る。
【００３８】
第４に、ハイブリッド整流器によって生成される高調波レベルが、例えば、ＩＥＥＥ５１９などの特定の規制に関して管理され得る。幾つかの実施形態によると、特定の規制によって禁止されるよりも良い高調波レベルを達成することは不要となる。
【００３９】
第５に、ＤＣバス電圧リップルが、ダイオード整流器よりも大幅に低いアクティブ整流器のものに即して維持され得る。この効果は、負荷を介する電流歪の低減となる。
【００４０】
幾つかの実施形態によると、制御ストラテジは、総電流歪要求（ＴＤＤ−Ｉ）を許容可能レベルまで維持するのにラインインダクタ（例えば、ラインインダクタ１２０ａ、１２０ｂ及び１２０ｃ）及びトランジスタパルスを用いることができる。
【００４１】
簡素化された制御ストラテジでは、ハイブリッド整流器コントローラはラインとの厳密な同期を必要とせず、これはアクティブ整流器と比較して、それをよりロバストなものとすることができる。この場合、電流基準は、ライン電圧から単に抽出される。
【００４２】
場合によっては、予めプログラムされた制御ストラテジが使用され得る。これは、簡単なフィードバックで調整可能なトランジスタスイッチングパターンで実現可能である。例えば、ライン電流からのフィードバックは、整流器の負荷に適合することである。あるいは、ライン電圧に対するＤＣ電圧は、ＤＣ電圧リップルを低減しつつ昇圧モード（すなわち、アクティブ整流器の）に移行するのを回避するのに使用され得る。
【００４３】
またさらに、ライン電圧極性を用いてトランジスタスイッチング命令をリアルタイムで生成するとともにライン電流振幅を基準と比較する、より精巧な制御ストラテジが使用され得る。この場合、ライン電流振幅が基準よりも低い場合にトランジスタスイッチングが起こる。基本的に、トランジスタは電流を、それがダイオード整流器による正弦波基準よりも低くなる場合に維持する。
【００４４】
幾つかの実施形態によると、ハイブリッド整流器コントローラは、トランジスタのパルス幅を制御するためにＰＩＤ（又は類似の）コントローラ及び基本ロジックで実施可能である。より複雑なハイブリッド整流器コントローラが、ベクトル制御、デッドビート制御、又はスイッチング損失と高調波の生成との間のトレードオフを最適化するのに使用される他の高度な方法に基づいていてもよい。
【００４５】
図３を参照すると、独立した制御をその位相に与えるように各位相に使用され得るような簡素なハイブリッド整流器コントローラ３００の概略が示される。コントローラは、正側半周期の間の正側電流コントローラ３１４を介した下側トランジスタ及び負側半周期の間の負側電流コントローラ３１６を介した上側トランジスタのみの動作のみを可能とするのに電圧コンパレータ３１０及びインバータ３１２を用いる。
【００４６】
正側電流コントローラ３１４の詳細のみが示されるが、ハイブリッド整流器コントローラ３００は正側電流コントローラ３１４及び負側電流コントローラ３１６の双方を含む。負側電流コントローラ３１６における同様の構成要素は、図３には示されていない。
【００４７】
ダイオード電流３１８が正弦波基準電流３２０を下回ると、トランジスタスイッチング（例えば、正側電流コントローラ３１４を介した下側トランジスタスイッチング）が活性化される。正弦波基準電流３２０は、図２に示すように、ライン電圧と同相となるように生成され得る。電流を保持するために、ダイオード電流３１８が正弦波基準電流３２０を下回ると（図２におけるダイオード電流２１０及び正弦波基準電流２１２も参照）、パルス幅変調器３２２が用いられてパルス幅変調（ＰＷＭ）を増加させる。トランジスタを停止させるために、ダイオード電流３１８が正弦波基準電流３２０を上回ると、ＰＷＭはゼロに低減される。
【００４８】
単純なＰＩ又はＰＩＤ誤差増幅器３２４が、コントローラに対して使用されてもよい。アプリケーションによっては、負荷に適合する予めプログラムされたスイッチングパターンが使用されてもよい。他の一般的な誤差増幅器トポロジが、このアプリケーションに同様に適し得る。
【００４９】
トランジスタスイッチングはパルス幅変調器３２２を用いて、例えば、ＰＩＤ３２４の出力に従ってパルス幅を変調することによって実現可能であるが、他のトランジスタスイッチング方式が用いられてもよい。例えば、ヒステリシスコントローラが、トランジスタスイッチングを制御するのに用いられてもよい。
【００５０】
正弦波基準電流３２０の振幅は、負荷を満足するのに必要なＡＣ電流を生成するように調整され得る。幾つかの実施形態によると、これは、以下の技術のいずれかを用いて実現可能である。
【００５１】
第１に、ライン又は負荷電流が、同等の正弦波ライン電流を導くように測定され得る。
【００５２】
第２に、ＤＣバス電圧が、ライン電圧に対して使用され得る。この場合、正弦波基準電流３２０の振幅は、ＤＣバス電圧がピークライン間電圧（√２ＶＬＬ）を下回ると増加し、上回ると減少する。
【００５３】
第３に、ＤＣバス電圧リップルが、正弦波基準電流３２０の振幅を調整するのに使用され得る。図４に示すように、リップルが比較的小さくなる場合に、正弦波基準電流３２０の最適な振幅が得られることになる。
【００５４】
第４に、予め計算されたスイッチングパターンが、メモリに保存され、単にダイオード電流３１８又はＤＣバス電圧とともに拡縮され得る。
【００５５】
幾つかの実施形態によると、トランジスタに対する過電流及び高温保護並びにＤＣバス電圧から活性化されるスイッチング無効化レベルのような何らかの基本的保護がハイブリット整流器に含まれ得る。
【００５６】
トランジスタに対する過電流及び高温保護は、転流モードを減少させ、最終的には停止させる。ダイオードは依然として動作するので、高調波歪の結果的な増加があり得る。ただし、整流器は依然として動作するので、高い利用可能性をもたらす。
【００５７】
ＤＣバス電圧保護レベルは、ＤＣバス電圧が許容可能な値に戻るまでトランジスタスイッチングを停止させるために、想定ＤＣ電圧よりも数％高く規定され得る。ＤＣバスを無効化する能力は、トランジスタスイッチングがＤＣバス電圧を危険レベルまで上昇させ得るような負荷の急な除去（負荷ダンピング）の場合に使用され得る。
【００５８】
負荷ダンピング保護によってもたらされるトランジスタのスイッチングの動作無効化が図５に示され、５１０はＤＣバス電圧を示し、５１２はＡＣ電圧を示し、５１４はトランジスタ電流を示し、５１６はダイオード電流を示し、５１８はＡＣライン電流を示し、５２０は負荷電流を示す。
【００５９】
負荷ダンピング保護は、図５に示すように、単純な電圧コンパレータによって高いＤＣバス電圧を検出し、それが所望の値に戻るまでトランジスタスイッチングを全て停止する。負荷ダンピング保護はまた、ハイブリッド整流回路のエネルギー回生（再生）アプリケーションと組み合わされ得る。ＤＣバスがそれらの設定レベルを上回ると、負荷ダンピング保護及びエネルギー回生の双方が作動する。第１のレベルがトランジスタを停止させ、一方でより高い第２のレベルがエネルギー回生スイッチングパターンをトリガする。
【００６０】
図６を参照すると、３相ハイブリッド整流器アプリケーションにおける１つのレッグの動作例が示される。他の電圧又は電流は、同様の態様で動作する。
【００６１】
トレース６１０は、２２０ＶＬＮ／３８０ＶＬＬ電源に対するＤＣバス電圧を示す。図６は、ＤＣバス電圧がＶｄｃ＝√２ＶＬＬ＝１．４１×３８０ＶＬＬ＝５３５Ｖｄｃに非常に近いことを示す。トレース６１２は、２２０ＶＬＮのライン電圧を示す。トレース６１４は下側トランジスタを介する電流を示し、トレース６１６は上側トランジスタを介する電流を示す。トレース６１８は上側ダイオード電流を示し、これは６１４及び６１６に示すトランジスタを介する電流よりも大幅に高い。トレース６２０は、理想電流に重畳されたＡＣライン電流を示す。
【００６２】
図７を参照し、幾つかの実施形態によると、ハイブリッド整流器７００が、同期整流器と電流操縦スイッチの双方を実現するために、上側トランジスタ７１２ａ、７１２ｂ及び７１２ｃ並びに下側トランジスタ７１６ａ、７１６ｂ及び７１６ｃとしてＦＥＴを用いて構成され得る。このタイプのトランジスタは、ダイオードの代わりに又はそれと並列に逆通電するとともに、トランジスタとしてスイッチングすることができる。
【００６３】
ハイブリッド整流器はＦＥＴを用いて構成される。ＦＥＴトランジスタは、ダイオードの代わりに又は代替的にダイオードとともに、特に低出力時に逆通電するように同期整流器として使用され得る。したがって、これはダイオード（例えば、図７に示すダイオード７１２ａ、７１２ｂ、７１２ｃ、７１４ａ、７１４ｂ、７１４）をなくすことによって部品点数を減少させるのに使用され得る。あるいは、図７に示すハイブリッド整流器７００の場合のように、ダイオードと並列にトランジスタを動作させる場合に全体導通損失が低減され得る。
【００６４】
幾つかの実施形態によると、ＦＥＴを用いて構成されたハイブリッド整流器は、他の整流器と比較して半導体の数を減少させる。またさらに、より単純な制御ストラテジで用いられる場合、整流器モジュールは、コストを低減するためにＦＥＴの特性を利用する製品となり得る。ここに開示するハイブリッド整流器の場合、ＦＥＴは、上述した制御ストラテジによると、整流器及びスイッチの両方として使用される。
【００６５】
ダイオードに並列のＦＥＴの場合を図８に示す。図８において、８００はダイオード８１０のみを介する電流８０２の整流を示し、８３０はダイオード８１０を介する電流８０２及び上側トランジスタ８１２を介する電流８０４の双方からの並列整流を示し、８６０は電流８０６のフローを維持するように上側トランジスタ８１２がスイッチングされたことを示す。図８は、交流の正側電流部分を示す。
【００６６】
ダイオードを用いないＦＥＴハイブリッド整流器の場合を図９に示す。図９において、９００は上側トランジスタ９１２を介する電流９０２の整流を示し、９５０は下側トランジスタ９１６を介する電流９０６のフローを維持するように上側トランジスタ９１２がスイッチングされたことを示す。図９は、交流の正側電流部分を示す。
【００６７】
図１０を参照すると、３相整流電流１０１０、正弦波基準電流（例えば「理想の」）１０１２並びにＦＥＴハイブリッド整流器についての、下側ＦＥＴがスイッチングされる（転流モード）間の上側ＦＥＴを介する導通１０１４、上側ＦＥＴを介する（連続通電モード）導通１０１６、上側ＦＥＴがスイッチングされる（転流モード）間の下側ＦＥＴを介する導通１０１８及び下側ＦＥＴ（連続通電モード）を介する通電１０２０の曲線を表す図を示す。図１０に基づく制御ストラテジは、ハイブリッド整流器コントローラ（例えば、ハイブリッド整流器コントローラ１１８ａ）によって実施され得るように、図２に基づく制御ストラテジについて説明したものと同様である。
【００６８】
図１０に示すように、交流の正側電流部分の間では、ライン電流が正弦波基準電流１０１２を下回る場合は常に下側ＦＥＴがスイッチングされる一方で上側ＦＥＴが電流を整流するように、制御ストラテジが決定され得る。ライン電流が正弦波基準電流１０１２を上回る場合、導通は上側ＦＥＴ１０１６を介する。同様のストラテジが、これに従って交流の負側電流部分に拡張される。
【００６９】
ハイブリッド整流器は、無停電電源（ＵＰＳ）、大型ＤＣ電源（例えば、プラズマトーチ、溶接、レーダー送信機、電気化学などのための）、ＨＶＤＣ電力分散ライン並びに充電器及び輸送電源を含む広範なアプリケーションに使用され得る。
【００７０】
またさらに、ハイブリッド整流器は、変速ドライブ並びに再生ブレーキング及びエネルギー回収による他のＡＣ／ＤＣ／ＡＣコンバータとともに使用され得る。この目的のため、ハイブリッド整流器は、低電圧、中電圧及び高電圧整流器として適切なものとなり得る。
【００７１】
幾つかの実施形態によると、スイッチングストラテジは、ＤＣバスがモータ制動などの再生負荷によって充電されると、エネルギーをラインに戻すのに使用され得る。これは、ダイオード整流器アプリケーションについて現在実施されているようにエネルギーを動的な制動抵抗器に放電させるのではなく、エネルギーをラインに戻す。これは、前述した単純な制御ストラテジと同様の制御ストラテジを用いてハイブリッド整流器で実現可能である。このように、ダイオード整流器を用いて現在実施されているものとは対照的に、再生が効率的再生で可能となる。例えば、モータドライブにおいて、制動エネルギーを放電させる動的制動抵抗器は必要とならない。再生では、アクティブ整流器におけるように、トランジスタが作用のほとんどを行う。トランジスタはまた、整流モードではダイオードの逆方向に動作する。
【００７２】
モータ可変ドライブなどの多数のアプリケーションにおいて、モータの運動エネルギーの一部を放電することによってモータを減速する必要がある場合がある。単純なモータドライブにおける通常の技術は、運動エネルギーを抵抗器のバンクにおいて放電させることを伴っていた。これはエネルギーの損失を意味し、無駄である。より複雑かつ高価なアクティブ整流器ドライブは、このエネルギーをより少ない損失でラインに戻す能力を有する。ここで記載した（制御ストラテジを含む）ハイブリッド整流器の使用により、再生中に、ＤＣ電圧が数パーセントだけ増加し、それによりダイオードの動作を遮断することが可能となる。これが起こると、トランジスタは、整流と相補的なストラテジで転流される。言い換えると、上側トランジスタは、正側ライン電圧の間に、又は他の適切な制御方式を用いることによって導通する。
【００７３】
要は、ハイブリッド整流器を動作させる再生モードは、前述した整流ストラテジの逆（相補）とみることができる。再生モードは、ＤＣバス電圧が充分に高いレベルにある場合に活性化され得る。再生モードでは、下側トランジスタは交流の正側電流部分の間に転流し、上側トランジスタは交流の負側電流部分の間に転流する。
【００７４】
異なる変調技術が、再生モードの間に用いられてもよい。幾つかのアプリケーションについて、予めプログラムされたパルスシーケンシング技術で充分である。通常、再生電流は、比較的低く、高調波歪が大きな問題とならないような比較的短い時間だけ起こる。これは、単純な制御ストラテジを許容可能とする。一般に、再生電流は、回路に対して選択されたトランジスタの容量に制限されるべきである。完全な再生が要求又は選択される場合、完全にレーティングされたトランジスタが整流器に使用され得る。
【００７５】
幾つかの実施形態によると、ハイブリッド整流回路はハイブリッドフィルタとして、例えば、並列高調波フィルタの代替として使用され得る。
【００７６】
アクティブ高調波フィルタは、高調波生成負荷に並列にラインインダクタ及びＤＣ容量バンクを含む完全なアクティブ整流回路を用いて作製されることが多い。反転高調波電流が注入されて高調波生成負荷からの高調波成分を相殺することを可能とするように高調波成分を測定するために、電流センサが高調波生成負荷に対する回路に付加される。この方式の種々のバージョンが周知であり、全ては、昇圧された独立のＤＣバス電圧及びこのハイブリッド整流器のものよりも複雑な制御ストラテジを必要とする。
【００７７】
図１１を参照すると、ハイブリッド整流回路１１１０が示される。ハイブリッド整流回路１１１０は、ハイブリッド整流器１１１０から大きな方の整流器１１１２の低周波高出力整流器部品を分離するために、ハイブリッドフィルタとして使用され得る。場合によっては、ハイブリッド整流器について前述した制御ストラテジが、必要なフィルタリングを付与可能であってもよい。アクティブ高調波フィルタとは対照的に、ハイブリッド整流器１１１０は、再生能力をダイオード整流器に付加することができる。このような構成は、既存の整流器を改造するために適し、又はトランジスタからの高周波電流パルスを扱うには高出力整流器部品が低速すぎる場合に適することになり得る。
【００７８】
図１１に示すように、ハイブリッド整流器１１１０は、主整流器１１１２のＤＣバスを用いる並列高調波フィルタとして使用され得る。この場合、ハイブリッド整流器１１１０及びそのラインインダクタは、既存の高出力整流器１１１２と並列接続されて、ハイブリッド整流器１１１０の単純な制御ストラテジの使用を介して高調波を最小化することができる。
【００７９】
またさらに、前述したように、単純な制御ストラテジの幾つかは、高出力整流器１１１２によって生成された高調波を測定する追加の電流センサを必要としない。
【００８０】
前述したように、ハイブリッド整流器は、同様のアクティブ整流器よりも低いコストを実現するために使用され得る。これは、例えば、トランジスタの電流容量が安価なダイオードのものよりも充分に低い場合にみることができる。この場合、上述の制御ストラテジは、電流通電の多くを整流用にダイオードに向け、スイッチング損失を比較的低く維持するので、有利となる。このような場合、合計の整流器コストは、アクティブ整流器とダイオード整流器のコストの間に低減され得る。幾つかの実施形態によると、各位相の整流回路は、プリント回路基板（ＰＣＢ）上のディスクリート部品から組み立てられ、若しくはインテリジェント電力モジュールにおいて組み立てられ、又は集積回路として生産され得る。トランジスタはこの電力レベルでは非常に高価であるので、中電圧及び高電圧整流器もこの構成から利益を受けることができる。
【００８１】
一般的に、任意の特定のハイブリッド整流器について、部品選定（例えば、トランジスタ及び／又はダイオード）はコスト及び効率に関して最適化され得る。電流通電の多くはダイオードを介して転送されるので、効率の主な増加はトランジスタを介した導通損失の低減から得られる。トランジスタはほとんど低電流においてスイッチングし、低いＤＣバス電圧において動作しているので、効率における他の増加はトランジスタのスイッチング損失の低減に基づくとみなされ得る。スイッチング損失は、ＤＣバス電圧の二乗に関係する。したがって、ＤＣバス電圧を１５％〜２０％低減することで、スイッチング損失の３０％の節約となり得る。
【００８２】
導通損失は、選定部品のサイズにも関係し得る。例えば、特定のアプリケーションにおいてアクティブ整流器ではなくハイブリッド整流器を用いることで、図６から分かるように、トランジスタの導通損失をダイオードの１５％まで低減させることができる。（備考：図１２は、アクティブフロントエンドについての損失を示す。ここでは必要ではない。当初の図はシミュレーション計算であったが、これは紛らわしい。図１２は全て除く方がよい。）
【００８３】
多くの場合、導通損失は、デバイスにわたる電流及び電圧降下に比例する。多くのアクティブ整流器設計では、ダイオード及びトランジスタは、同様の電圧降下を有するようにサイズ決定される。これは、同様に設計されたパラメータについて、ハイブリッド整流器におけるトランジスタのサイズはダイオードのサイズの約１５％である。これを踏まえて、コストの低減は、トランジスタはダイオードよりも通常は高価であることを考慮に入れつつ、より小さなトランジスタを用いることによって実現可能となる。
【００８４】
損失は、アクティブ整流器で可能となるものよりも整流器の全体コストに対する一層小さな影響で、それらの導通損失をさらに低減するのにより大きなダイオードを用いることによって最適化され得る。
【００８５】
例えば、ダイオードのサイズを倍にすることは、動作電流を半減することと同等である。標準的なパワーダイオードについて、電圧降下は、１．６５Ｖから１．２５Ｖに低減され得るので、比較的小さなコストの増加に対して導通損失の２５％を節約することになる。この関係は、１５０Ａ及び３００Ａの電流レベルについて図１２の曲線によって表される。
【００８６】
幾つかの実施形態によると、アクティブ整流器と比較して（例えば、＞９０％）、トランジスタが比較的短い期間にわたって低い振幅（例えば、１５％）でハイブリッド整流器を介して電流を通電することに起因してトランジスタのコスト低減が実現可能となる。したがって、ハイブリッド整流器におけるトランジスタは、小型化されるのでより安価となり得る。これは、トランジスタが一般にダイオードよりも高価であることを考慮すると、重要なこととなり得る。またさらに、より大型のシステムでは、より小型のトランジスタはゲートドライバ電流及びその関連の補助電源を低減することもできるので、簡素化されたゲートドライバ技術の使用が可能となる。より大型のシステムでは、これは、必要な電力を達成するようにトランジスタを並列接続することのタスクを簡素化し又はなくすことができる。
【００８７】
幾つかの実施形態によると、各位相についての単純な制御ストラテジは、インテリジェントパワーモジュール（ＩＰＭ）における各トランジスタと集積され得る。通常のアクティブ整流器では、トランジスタスイッチングの全てを統括する中央プロセッサによって全ての位相についての制御が行われ、これはスイッチング命令を転送するために多数のセンサ及び信号絶縁を必要とする。しかし、ハイブリッド整流器コントローラによると、各位相は独立可能であり、関連のロジックはアクティブ整流器と比較してより少ない集積センサしか必要としない簡素なモジュールで実施可能となる。これは、複雑な信号絶縁及び中央コントローラを不要とすることができる。
【００８８】
本発明が、例示としてのみここに説明された。種々の変形及びバリエーションが、添付の特許請求の範囲のみによって制限される発明の趣旨及び範囲から離れることなくこれらの例示の実施形態に対してなされ得る。  
【図１】
2019533419.tif 000003
【図２】
2019533419.tif 000004
【図３】
2019533419.tif 000005
【図４】
2019533419.tif 000006
【図５】
2019533419.tif 000007
【図６】
2019533419.tif 000008
【図７】
2019533419.tif 000009
【図８】
2019533419.tif 000010
【図９】
2019533419.tif 000011
【図１０】
2019533419.tif 000012
2019533419.tif 000013
【図１１】
2019533419.tif 000014
【図１２】
2019533419.tif 000015
【国際調査報告】
2019533419.tif 000016
2019533419.tif 000017